(57)【要約】【課題】  全受信画像を記憶手段に格納する必要があるため、記憶手段に多くの容量が必要とされる。また、使用者がファクシミリ画像を途中で持ち去ったり、エラー画像を受信画像と間違えたりといった場合があり、使い勝手が悪い。【解決手段】  受信画像をページ毎に印刷出力するように制御し、通信管理レポート等とともにステイプルを行うよう制御する制御手段。【選択図】  図１
2013219414.tif 000002
【特許請求の範囲】
【請求項１】
回線上から受信画像データを受信して印刷する印刷手段（３０５）と、
印刷した用紙に対してステイプルを行う排紙手段（３１０）と、
回線上から受信画像データ受信した際の結果についてレポートを作成する制御手段（３０１）と、
受信時は、受信画像を逐次出力し、前記画像出力後装置内メモリ（３０２）に格納されている画像データを削除する制御手段（３１０）と、
を持つ画像形成装置において、１ページもしくは複数ページからなる受信画像データを受信した際に、受信した結果より得られた結果レポートを各受信画像データの印刷の直後に印刷し、前記受信画像データの印刷結果と一緒にステイプルを行うことを特徴とする画像形成装置。
【請求項２】
回線上から受信画像データを受信して印刷する印刷手段（３０５）と、
ステイプル指示に応じ、印刷した用紙に対してステイプルを行う排紙手段（３１０）を有する、
前記排紙手段（３１０）は、制御手段（３１０）からステイプル指示があり、エラーが無い場合、受信した受信画像データを印刷した用紙に対してステイプルを行う。ステイプル指示があっても、エラーがあった場合には、（通信結果レポートを含む）受信した受信画像データを印刷した用紙に対してステイプルを行わないことを特徴とする画像形成装置。
【請求項３】
結果レポートはエラー結果レポートであることを特徴とする請求項1に記載の画像形成装置。
【請求項４】
フェースダウン印刷時に、裏面に前記レポートを出力することを特徴とする請求項１又は請求項２に記載の画像形成装置。
【請求項５】
フェースアップ印刷時に、表面に前記レポートを出力しないことを特徴とする請求項１又は請求項２に記載の画像形成装置。
【請求項６】
動作中にファクシミリ受信をした場合には、スーパーファイン、ウルトラファインで動作しないことを特徴とする請求項１又は請求項２に記載の画像形成装置。
【発明の詳細な説明】
【技術分野】
【０００１】
本発明はステイプル機能を有するファクシミリ装置、あるいはファクシミリ機能を持つ画像読取り装置、画像形成装置の出力制御方法に関する。
【背景技術】
【０００２】
従来のファクシミリ機能を有する装置には、使用者の使い勝手向上のため、受信原稿とともに、通信管理レポートを出力するものがある（特許文献1参照）。これは通信毎の全受信画像データを記憶手段に蓄積し、装置の設定により、受信画像データ出力時、前記レポートと共に出力するか否かを決定していた。
【先行技術文献】
【特許文献】
【０００３】
【特許文献１】特開2001-16386号公報
【発明の概要】
【発明が解決しようとする課題】
【０００４】
しかしながら、特許文献１において、全ての受信画像を、まず記憶手段に蓄積するため、多くの記憶手段容量が必要であり、コストアップとなってしまう。また、排紙部に多くの出力された画像が残っている場合には、前記レポートとファクシミリ受信画像を他のコピー画像と仕分けを行う必要がある。
【課題を解決するための手段】
【０００５】
本発明に係る画像形成装置の構成は、
回線上から受信画像データを受信して印刷する印刷手段（３０５）と、
印刷した用紙に対してステイプルを行う排紙手段（３１０）と、
回線上から受信画像データ受信した際の結果についてレポートを作成する制御手段（３０１）と、
受信時は、受信画像を逐次出力し、前記画像出力後装置内メモリ（３０２）に格納されている画像データを削除する制御手段（３１０）、
を持つ画像形成装置において、１ページもしくは複数ページからなる受信画像データを受信した際に、受信した結果より得られた結果レポートを各受信画像データの印刷の直後に印刷し、前記受信画像データの印刷結果と一緒にステイプルを行うことを特徴とする。
【発明の効果】
【０００６】
本発明によれば、ステイプル可能な低コスト機において、受信結果レポートを受信印刷画像と一緒にステイプルすることで、全受信画像ページが漏れなく受信したことを確実に確認することができる。また、ステイプル指示されているのに、エラーの場合はステイプルされていないことにより、使用者はエラーがあったことが分かる。同時にエラー時には、相手機より画像が再送されることも予想でき、その結果、再送印刷画像の取り忘れも防止できる。さらにメモリ容量を削減でき、コストダウン可能となる。
【図面の簡単な説明】
【０００７】
【図１】本発明の第一の実施例フロー
【図２】本発明の第ニの実施例フロー
【図３】本発明の実施例による画像形成装置構成図
【発明を実施するための形態】
【０００８】
以下、本発明を実施するための最良の形態について図面を用いて説明する。
【０００９】
図３は、本発明実施形態に係る、回線を通じ画像を送信、受信するファクシミリ機能を有する画像形成装置の構成である。
【００１０】
３０１は装置全体を制御する制御部である。制御部３０１内にはCPU３００が存在し、制御プログラムを実行し、装置全体を制御する。
【００１１】
３０２は画像形成装置のプログラム、ファクシミリ受信画像データ、コピー時画像データ等を保存するDRAMである。
【００１２】
３０３は各画像形成装置特有のパラメータ、あるいは画像形成装置の圧縮プログラム等を格納しているFLASH  ROMである。
【００１３】
３０４は電源部であり、画像形成装置の各部に電源を供給している。
【００１４】
３０５は、印刷部である。これは、制御部３０１により、転送される３０２；ＤＲＡＭに格納された受信画像データが入力され、画像を出力する。
【００１５】
３０６は読取り部であり、３０１；制御部からの制御を受け、原稿を読取りにより、画像データを生成、出力する。
【００１６】
３０７はモデムであり、データの変調、復調等を行う。
【００１７】
３０８は回線と画像形成装置を接続するＮＣＵ部である。これは、３０７：モデムからの信号を回線に出力、また、回線からの信号を３０７：モデムに伝送することによりファクシミリ通信を行う。
【００１８】
３０９は操作表示部であり、使用者の操作入力を３０１：制御部へ出力するとともに、３０１：制御部からの制御により、表示する。
【００１９】
３１０は３０５：印刷部から出力された画像を排紙、ステイプルを行う排紙部である。３１１は３１０：排紙部を制御する排紙コントローラであり、３０１：制御部と通信を行い、３１０：排紙部を動作させ、ステイプルを行う。
【００２０】
図１は、上記構成を有する画像形成装置、第一の実施例のフローチャートである。
【００２１】
Ｓ１０１にて、３０８：ＮＣＵ部がファクシミリ受信を検知し、受信動作を開始する。３０１制御部は、３０７：モデムから受信した受信画像データをデコードし３０２：ＤＲＡＭに格納する。
【００２２】
Ｓ１０２において、受信画像データ一枚分の受信を検知する。受信画像データ１枚毎に、Ｓ１０３にて、３０２：ＤＲＡＭ内に保存された受信画像データを、３０１：制御部は処理を行い、３０５：印刷部に送り、出力する。この時３０１：制御部は、３１１：排紙コントローラと通信し、３１０：排紙部を駆動し、３０５：印刷部から出力される画像を排紙する。排紙し、処理終了後、Ｓ１０４にて、出力した受信画像データを格納している３０２：DRAM内のエリアをクリアする。
【００２３】
Ｓ１０５にて、全受信画像データ受信終了を検知する。一通信内の受信画像データを受信終了していない場合には、次ページの受信画像データを３０２：ＤＲＡＭに蓄積する。全受信画像データ受信終了時、Ｓ１０６にて、エラーの有無を検証する。エラー時には、Ｓ１０７にて、エラー時レポート出力する設定を、３０３：ＦＬＡＳＨ  ＲＯＭ内に格納された設定値を確認する。エラー時レポート非出力設定時には、Ｓ１０８にてエラー時ステイプル実行設定を、３０３：ＦＬＡＳＨ  ＲＯＭ内に格納された設定値を確認する。ステイプル非実行設定であれば、Ｓ１１４にて受信画像データを保存したメモリエリアをクリアし終了する。エラー時ステイプル実行設定の場合には、Ｓ１０９にて受信画像データが一枚のみか検証する。一枚であったならＳ１１４にて、３０２：DRAM内の受信画像メモリエリアをクリアし、終了する。出力した受信画像が複数枚時には、Ｓ１１０にて、３０１：制御部は、３１１：排紙コントローラと通信し、３１０：排紙部を駆動し受信画像をステイプルし、Ｓ１１４にて、メモリをクリアし終了する。
【００２４】
Ｓ１０７にて、エラー時レポート出力設定時、Ｓ１１１にて結果レポートを出力する。次にＳ１１２にて、３０３：ＦＬＡＳＨ  ＲＯＭ内に格納された設定値内のステイプル実行設定を確認する。ステイプル実行設定であれば、３０１：制御部は、３１１：排紙コントローラを制御し、Ｓ１１３にて受信画像と結果レポートをステイプル後、Ｓ１１４にて受信画像データを保存したメモリエリアをクリアして終了する。
【００２５】
以上の様に、第一の実施例において、受信画像データを逐次出力し、その都度、メモリをクリアにすることにより、画像メモリ領域を削減することが可能となる。画像メモリ領域削減のためには、動作時ファクシミリ受信した場合には、画像データ量の多いウルトラファイン、スーパーファイン受信を禁止することによっても効果を得ることができる。また、通信毎に受信画像がステイプルされるため、受信画像が容易にわかり、使用者の使い勝手が向上する。また、エラー結果レポートとステイプルすることにより、通信がエラーになった事を使用者が容易にわかる。この結果、使用者の使い勝手の向上する。さらに、排紙面の違いにより、レポートの印字面を変え、使用者の使い勝手を向上することができる。例えば、排紙がフェースダウン時、反対面にレポートを出力することによって、紙を節約するとともに、ステイプル出力された受信画像のレポートを見やすくすることができる。同様に、排紙がフェースアップ時には、レポートの印字面を反対にし出力することにより、同じ効果を得ることができる。
【００２６】
図２は、上記構成を有する画像形成装置、第二の実施例のフローチャートである。
【００２７】
Ｓ２０１からS２０５の説明は、前述の実施例１と同様なため、異なる部分を以下に記述する。
【００２８】
全画像受信画像データ受信終了時、Ｓ２０６にて、ステイプル実行する設定であることを、３０３：ＦＬＡＳＨ  ＲＯＭ内に格納された設定値にて、確認する。ステイプル非実行設定時は、S２１１にて、３０２：DRAM内の受信画像メモリエリアをクリアし終了する。ステイプル実行設定時には、S２０７にて、通信エラーの有無を確認する。エラー有りの場合にはS２１０にて結果レポートを、出力する。
【００２９】
次にＳ２１１にて、３０２：ＤＲＡＭ内の受信画像データメモリエリアをクリアし終了する。エラーがない場合には、Ｓ２０８にて、３０５：印刷部から出力された受信画像が同系列出力紙であるか確認する。同系列の受信画像であれば、Ｓ２０９にて、３０１：制御部は、３１１：排紙コントローラと通信し、３１０：排紙部を駆動し受信画像ステイプルを実行する。次に、Ｓ２１１にて、３０２：ＤＲＡＭ内の受信画像データメモリエリアをクリアし、終了する。同系列出力紙でない場合には、ステイプルを実行せず、S２１１にて受信画像データメモリエリアをクリアし、終了する。
【００３０】
以上、第二の実施例においては、画像形成装置が、複数系列の紙に出力可能な場合、ステイプル実行の場合分けを行い、受信画像に応じたステイプルが可能となる。
【符号の説明】
【００３１】
３０１  制御部
３０２  DRAM
３０５  プリンタ部
３０７  モデム
３０８  NCU部
３１０  排紙部
３１１  排紙コントローラ
【図１】
2013219414.tif 000003
【図２】
2013219414.tif 000004
【図３】
2013219414.tif 000005